【手続補正書】
【提出日】平成29年10月4日(2017.10.4)
【手続補正１】
【補正対象書類名】特許請求の範囲
【補正対象項目名】全文
【補正方法】変更
【補正の内容】
【特許請求の範囲】
【請求項１】
第１の光源からの光束を偏向する第１の偏向面及び第２の光源からの光束を偏向する第２の偏向面を備える偏向素子と、
該偏向素子と対向する天面を備え、前記偏向素子を回転可能に保持するロータと、
第１の結像レンズを備え、前記第１の偏向面からの光束を第１の被走査面に導光する第１の結像光学系と、
前記偏向素子を挟んで前記第１の結像レンズとは反対側に配置される第２の結像レンズを備え、前記第２の偏向面からの光束を第２の被走査面に導光する第２の結像光学系と、
前記第１の結像光学系の光路中に配置された第１の遮光部材と、
前記第２の結像光学系の光路中に配置された第２の遮光部材とを有し、
副走査方向における前記第１の偏向面の中央を通る主走査平面から前記第１の遮光部材の前記天面の側の端部までの距離をＡ、前記主走査平面から前記天面までの距離をＨ、前記第１の偏向面における光束の偏向点から前記第１の結像レンズまでの距離をＬ、前記偏向素子の回転軸から前記第１の結像レンズまでの距離をＰ、前記回転軸から前記第１の遮光部材までの距離をＳ、前記天面の直径をＤ、前記第１の光源からの光束の前記第１の偏向面に対する副走査断面内での入射角をβとするとき、
【数１】
2016085433.tif 000001
なる条件を満足することを特徴とする光走査装置。
【請求項２】
前記第１の遮光部材は、前記偏向素子と前記第１の結像レンズとの間に配置され、前記第２の遮光部材は、前記偏向素子と前記第２の結像レンズとの間に配置されていることを特徴とする請求項１に記載の光走査装置。
【請求項３】
２≦β≦６
なる条件を満足することを特徴とする請求項１または２に記載の光走査装置。
【請求項４】
前記第１の結像レンズは、プラスチックで構成されることを特徴とする請求項１乃至３のいずれか１項に記載の光走査装置。
【請求項５】
０．５≦Ｓ／Ｐ≦０．９５
なる条件を満足することを特徴とする請求項１乃至４のいずれか１項に記載の光走査装置。
【請求項６】
【数２】
2016085433.tif 000002
なる条件を満足することを特徴とする請求項１乃至５のいずれか１項に記載の光走査装置。
【請求項７】
前記第１及び第２の遮光部材は、前記偏向素子が収容されるハウジングと一体的に成形されていることを特徴とする請求項１乃至６のいずれか１項に記載の光走査装置。
【請求項８】
前記第１の遮光部材は、前記第１の結像レンズにて反射した不要光の一部を遮光し、前記第２の遮光部材は、前記不要光のうち前記第１の遮光部材で遮光されずに前記天面にて反射した光を遮光することを特徴とする請求項１乃至７のいずれか１項に記載の光走査装置。
【請求項９】
第１の光源からの光束を偏向する第１の偏向面及び第２の光源からの光束を偏向する第２の偏向面を備える偏向素子と、
該偏向素子と対向する天面を備え、前記偏向素子を回転可能に保持するロータと、
第１の結像レンズを備え、前記第１の偏向面からの光束を第１の被走査面に導光する第１の結像光学系と、
前記偏向素子を挟んで前記第１の結像レンズとは反対側に配置される第２の結像レンズを備え、前記第２の偏向面からの光束を第２の被走査面に導光する第２の結像光学系と、
前記第１の結像光学系の光路中に配置された第１の遮光部材と、
前記第２の結像光学系の光路中に配置された第２の遮光部材とを有し、
前記第１の遮光部材は、前記第１の結像レンズにて反射した不要光の一部を遮光し、
前記第２の遮光部材は、前記不要光のうち前記第１の遮光部材で遮光されずに前記天面にて反射した光を遮光することを特徴とする光走査装置。
【請求項１０】
請求項１乃至９のいずれか１項に記載の光走査装置と、該光走査装置により前記第１及び第２の被走査面に形成された静電潜像をトナー像として現像する現像器と、前記トナー像を被転写材に転写する転写器と、転写されたトナー像を被転写材に定着させる定着器とを有することを特徴とする画像形成装置。
【請求項１１】
請求項１乃至９のいずれか１項に記載の光走査装置と、外部機器から出力されたコードデータを画像信号に変換して前記光走査装置に入力するプリンタコントローラとを有することを特徴とする画像形成装置。
【手続補正２】
【補正対象書類名】明細書
【補正対象項目名】００１２
【補正方法】変更
【補正の内容】
【００１２】
上記目的を達成するため、本発明に係る光走査装置は、第１の光源からの光束を偏向する第１の偏向面及び第２の光源からの光束を偏向する第２の偏向面を備える偏向素子と、該偏向素子と対向する天面を備え、前記偏向素子を回転可能に保持するロータと、第１の結像レンズを備え、前記第１の偏向面からの光束を第１の被走査面に導光する第１の結像光学系と、前記偏向素子を挟んで前記第１の結像レンズとは反対側に配置される第２の結像レンズを備え、前記第２の偏向面からの光束を第２の被走査面に導光する第２の結像光学系と、前記第１の結像光学系の光路中に配置された第１の遮光部材と、前記第２の結像光学系の光路中に配置された第２の遮光部材とを有し、副走査方向における前記第１の偏向面の中央を通る主走査平面から前記第１の遮光部材の前記天面の側の端部までの距離をＡ、前記主走査平面から前記天面までの距離をＨ、前記第１の偏向面における光束の偏向点から前記第１の結像レンズまでの距離をＬ、前記偏向素子の回転軸から前記第１の結像レンズまでの距離をＰ、前記回転軸から前記第１の遮光部材までの距離をＳ、前記天面の直径をＤ、前記第１の光源からの光束の前記第１の偏向面に対する副走査断面内での入射角をβとするとき、
【手続補正３】
【補正対象書類名】明細書
【補正対象項目名】００１５
【補正方法】変更
【補正の内容】
【００１５】
また、本発明に係る別の光走査装置は、第１の光源からの光束を偏向する第１の偏向面及び第２の光源からの光束を偏向する第２の偏向面を備える偏向素子と、該偏向素子と対向する天面を備え、前記偏向素子を回転可能に保持するロータと、第１の結像レンズを備え、前記第１の偏向面からの光束を第１の被走査面に導光する第１の結像光学系と、前記偏向素子を挟んで前記第１の結像レンズとは反対側に配置される第２の結像レンズを備え、前記第２の偏向面からの光束を第２の被走査面に導光する第２の結像光学系と、前記第１の結像光学系の光路中に配置された第１の遮光部材と、前記第２の結像光学系の光路中に配置された第２の遮光部材とを有し、前記第１の遮光部材は、前記第１の結像レンズにて反射した不要光の一部を遮光し、前記第２の遮光部材は、前記不要光のうち前記第１の遮光部材で遮光されずに前記天面にて反射した光を遮光することを特徴とする。
【手続補正４】
【補正対象書類名】明細書
【補正対象項目名】００２２
【補正方法】変更
【補正の内容】
【００２２】
図９において、カラー画像形成装置１０６０には、パーソナルコンピュータ等の外部機器１０５２から出力されたＲ（レッド）、Ｇ（グリーン）、Ｂ（ブルー）の各色信号が入力する。コードデータであるこれらの色信号は、装置内のプリンタコントローラ１０５３によって、Ｃ（シアン）、Ｍ（マゼンタ）、Ｙ（イエロー）、Ｂ（ブラック）の各画像信号（ドットデータ）に変換される。これらの画像データは、それぞれ走査光学系１０６１、１０６２、１０６３、１０６４に入力される。
【手続補正５】
【補正対象書類名】明細書
【補正対象項目名】００２９
【補正方法】変更
【補正の内容】
【００２９】
光源手段１Ａ、１Ｂから射出された光束は、第１反射面５１の法線に対して副走査方向に所定の角度（本実施形態では各々副走査上下方向から３°）で斜入射する（副走査斜入射系）。すなわち、第１の偏向面としての第１反射面５１の副走査方向の中央を通る主走査平面（主走査断面）に対して、光源手段１Ａ、１Ｂから射出された光束は上下方向に対称的に斜入射する。
【手続補正６】
【補正対象書類名】明細書
【補正対象項目名】００３１
【補正方法】変更
【補正の内容】
【００３１】
光源手段１Ｃ、１Ｄから射出された光束は、第２反射面５２の法線に対して副走査方向に所定の角度（本実施形態では各々副走査上下方向から３°）で斜入射する。すなわち、第２の偏向面としての第２反射面５２の副走査方向の中央を通る主走査平面に対して、光源手段１Ｃ、１Ｄから射出された光束は上下方向に対称的に斜入射する。
【手続補正７】
【補正対象書類名】明細書
【補正対象項目名】００５５
【補正方法】変更
【補正の内容】
【００５５】
ここで、偏向点Ｐ１を含み回転多面鏡５の回転軸に垂直な平面（第１反射面５１の副走査方向の中央を通る主走査平面）からロータ９の天面までの距離をＨ、回転多面鏡５の回転軸から第１遮光部材Ｂ１までの距離をＳ、ロータ９の天面の直径をＤとする。このとき、偏向点Ｐ１を含み回転多面鏡５の回転軸に垂直な平面から第１遮光部材６１上端までの距離Ａとして、以下の式を満足するように第１遮光部材６１を構成すれば良い。